(57)【要約】【課題】  閲覧画面保管時の煩雑さの解消、及び閲覧画面から視点を外さずに現在閲覧中の閲覧画面の保管、並びに閲覧画面の再利用時にあらかじめ一覧表示中に当該閲覧画面を表示させるためのキーワードを指定することを可能とする。【解決手段】  Ｗｅｂブラウザ４１に表示されている閲覧画面４３中から利用者が選択したテキスト情報、及び閲覧画面に関する情報を蓄積し、蓄積した情報を利用者の検索要求に応じて提供する閲覧画面再利用装置であって、情報を表示するディスプレイ、ディスプレイのＷｅｂブラウザ４１に表示されている閲覧画面４３からテキスト情報の選択入力を行うマウス４２、及び選択されたテキスト情報、閲覧履歴管理装置４４に蓄積されたテキスト情報をインデックス化するテキスト検索装置４７を有する。【選択図】  図４
2006309509.tif 000002
【特許請求の範囲】
【請求項１】
Ｗｅｂブラウザに表示されている閲覧画面中から利用者が選択したテキスト情報、及び当該閲覧画面に関する情報を蓄積し、当該蓄積した情報を利用者の検索要求に応じて提供する閲覧画面再利用装置であって、
情報を表示するディスプレイと、
前記ディスプレイのＷｅｂブラウザに表示されている閲覧画面からテキスト情報の選択入力を行う選択手段と、
前記選択されたテキスト情報、及び前記閲覧画面に関する情報を蓄積する閲覧履歴管理手段と、
前記閲覧履歴管理手段に蓄積されたテキスト情報をインデックス化するテキスト検索手段と、を有することを特徴とする閲覧画面再利用装置。
【請求項２】
Ｗｅｂブラウザに表示されている閲覧画面中から利用者が選択したテキスト情報、及び当該閲覧画面に関する情報を蓄積し、当該蓄積した情報を利用者の検索要求に応じて提供する閲覧画面再利用装置であって、
情報を表示するディスプレイと、
前記ディスプレイのＷｅｂブラウザに表示されている閲覧画面からテキスト情報の選択入力、及び前記提供された情報の選択入力を行う選択手段と、
前記選択されたテキスト情報、及び前記閲覧画面に関する情報を蓄積する閲覧履歴管理手段と、
キーワード入力を行う入力手段と、
前記閲覧履歴管理手段に蓄積されたテキスト情報のインデックス化、及び前記キーワードを受信して前記閲覧履歴管理手段に当該キーワード検索を行いテキスト検索結果を取得するテキスト検索手段と、
前記テキスト検索結果を前記ディスプレイに表示する検索結果表示手段と、を有することを特徴とする閲覧画面再利用装置。
【請求項３】
前記閲覧画面再利用装置は、
前記テキスト検索手段が取得したテキスト検索結果中の各閲覧画面の重要度を判断して、当該重要度に基づいて前記テキスト検索結果を配列する閲覧画面ランク判定手段を有しており、
前記テキスト検索手段は、前記テキスト検索結果を前記閲覧画面ランク判定手段に送信し、
前記検索結果表示手段は、前記重要度に基づいて配列された前記テキスト検索結果を前記ディスプレイに表示することを特徴とする請求項２に記載の閲覧画面再利用装置。
【請求項４】
前記検索結果表示手段は、前記選択されたテキスト情報部分を強調して前記ディスプレイに表示することを特徴とする請求項２又は３に記載の閲覧画面再利用装置。
【請求項５】
前記検索結果表示手段は、前記入力手段から前記テキスト検索結果に対する選択入力を受信し、当該選択入力に対応する閲覧画面を前記ディスプレイに表示することを特徴とする２〜４いずれかに記載の閲覧画面再利用装置。
【請求項６】
前記閲覧画面再利用装置は、
前記選択されたテキスト情報、及び前記閲覧画面に関する情報を閲覧履歴管理手段に蓄積したことを利用者に通知する閲覧履歴保存通知手段を有することを特徴とする請求項１〜５いずれかに記載の閲覧画面再利用装置。
【請求項７】
前記閲覧画面に関する情報は、当該閲覧画面、当該閲覧画面のＵＲＬ、当該閲覧画面のサムネール情報、及び当該閲覧画面を閲覧した総時間であることを特徴とする請求項１〜６に記載の閲覧画面再利用装置。
【請求項８】
前記検索結果表示手段は、前記サムネール情報をさらに前記ディスプレイに表示することを特徴とする請求項７に記載の閲覧画面再利用装置。
【請求項９】
上記の請求項１〜８のいずれかに記載の閲覧画面再利用装置を、コンピュータプログラムで記載してそれを実行可能にしたことを特徴とするプログラム。
【請求項１０】
上記の請求項１〜８のいずれかに記載の閲覧画面再利用装置を、コンピュータで実行可能に記載したプログラムを記録したことを特徴とする記録媒体。
【発明の詳細な説明】
【技術分野】
【０００１】
インターネットの閲覧中に、閲覧画面のＵＲＬや閲覧中個所を記録し蓄積する技術、並びにその蓄積した情報を再利用するために検索及び表示する技術に関するものである。
【背景技術】
【０００２】
図９にインターネット閲覧の従来技術の例を示す。図９に示すように、マイクロソフト社のインターネットエクスプローラ（例えば、非特許文献１参照。）などのＷｅｂブラウザ９１のブックマーク機能９２は、閲覧画面９３に任意の名称９５を付けて保管することが可能である。また、任意の名称のフォルダ９６を構成して、閲覧画面９３を保管することも可能である。
【０００３】
そして、保管した閲覧画面９３を付与した名称及びフォルダの一覧９７として表示させ、名称を選択することにより、保管された閲覧画面９３を、Ｗｅｂブラウザ９１に表示する。
【０００４】
インターネット上に存在する膨大な閲覧画面の中から、利用者が発見して有用と判断した閲覧画面を上記のようにして保管しておくことにより、利用者が次回同じ閲覧画面を見たいと思ったとき、名称及びフォルダの一覧９７を表示させる。そして、その中から保管された名称を選択することにより、既に見たことのあり見たい閲覧画面に簡単かつ迅速に遷移させることが可能である。
【０００５】
また、フォルダ９６を構成して、任意の名称を付けて保管しておき、名称及びフォルダの一覧９７として表示させることにより、再利用時において、閲覧画面を保管した時の利用者の作業状況を特定することが可能となり、保管された閲覧画面の探索が容易になる。
【非特許文献１】Ｍｉｃｒｏｓｏｆｔ  Ｉｎｔｅｒｎｅｔ  Ｅｘｐｌｏｒｅｒ：お気に入りを使用したＷｅｂの利用、[ｏｎｌｉｎｅ]、[２００５年３月２２日検索]、インターネット<ＵＲＬ：ｈｔｔｐ：／／ｗｗｗ．ｍｉｃｒｏｓｏｆｔ．ｃｏｍ／ｗｉｎｄｏｗｓ／ｉｅ＿ｉｎｔｌ／ｊａ／ｕｓｉｎｇ／ｈｏｗｔｏ／ｓｈａｒｅ／ｆａｖｏｒｉｔｅｓ．ｍｓｐｘ>
【発明の開示】
【発明が解決しようとする課題】
【０００６】
しかし、上記技術には下記の問題点がある。
【０００７】
(問題点１)従来の技術を頻繁に利用し保管する閲覧画面の数が増加するにつれ、名称およびフォルダの一覧９７が煩雑となって一覧性が無くなる。その結果、再利用時に利用者が表示させたい閲覧画面９３を探索することが困難になる。
【０００８】
(問題点２)保管時にフォルダを構成し分類して閲覧画面を保管した状態が必ずしも再利用時における作業状況に応じた分類になっていない。このためん、フォルダをまたがって再探索する必要が生じるなど、分類することにより再利用時に余分な手間が生じる可能性がある。
【０００９】
(問題点３)閲覧画面を保管するときにＷｅｂブラウザ上部のブックマーク追加メニュー９８などでの利用者の操作が発生するため、閲覧画面から視点を外して操作を行う必要となる。これによって閲覧画面保管時の煩雑さ（手数の多さ）、及び閲覧画面に視点を戻して保管時に閲覧していた部分を再探索する必要が生じる。
【００１０】
(問題点４)近年のブログなどの流行により、一つの閲覧画面に記述されている内容が、多種多様にわたる。このため、ブックマーク９２機能により閲覧画面９３に遷移しても、当該閲覧画面中に存在する必要な情報を探索するのに時間を要する。
【００１１】
かかる事情に鑑みて本発明はなされたもので、その目的は、下記の通りである。
【００１２】
(課題１)保管した閲覧画面よらず、利用者のキーワード入力により再利用時に必要な閲覧画面を抽出して一覧として表示させる。
【００１３】
(課題２)閲覧画面保管時の煩雑さの解消、及び閲覧画面から視点を外さずに現在閲覧中の閲覧画面の保管を可能とする。
【００１４】
(課題３)閲覧画面保管時の利用者の操作により、当該閲覧画面の再利用時にあらかじめ一覧表示中に当該閲覧画面を表示させるためのキーワードを指定しておく。
【００１５】
(課題４)再利用時の閲覧画面の表示時に特定部分を強調表示などを行う。
【００１６】
(課題５)閲覧画面の再利用時の一覧表示時に利用者の閲覧画面に対する重要度に応じて一覧表示させる。
【課題を解決するための手段および発明の効果】
【００１７】
そこで、上記課題を解決するために、請求項１に記載の発明は、Ｗｅｂブラウザに表示されている閲覧画面中から利用者が選択したテキスト情報、及び当該閲覧画面に関する情報を蓄積し、当該蓄積した情報を利用者の検索要求に応じて提供する閲覧画面再利用装置であって、情報を表示するディスプレイと、前記ディスプレイのＷｅｂブラウザに表示されている閲覧画面からテキスト情報の選択入力を行う選択手段と、前記選択されたテキスト情報、及び前記閲覧画面に関する情報を蓄積する閲覧履歴管理手段と、前記閲覧履歴管理手段に蓄積されたテキスト情報をインデックス化するテキスト検索手段と、を有することを特徴とする。
【００１８】
また、請求項２に記載の発明は、Ｗｅｂブラウザに表示されている閲覧画面中から利用者が選択したテキスト情報、及び当該閲覧画面に関する情報を蓄積し、当該蓄積した情報を利用者の検索要求に応じて提供する閲覧画面再利用装置であって、情報を表示するディスプレイと、前記ディスプレイのＷｅｂブラウザに表示されている閲覧画面からテキスト情報の選択入力、及び前記提供された情報の選択入力を行う選択手段と、前記選択されたテキスト情報、及び前記閲覧画面に関する情報を蓄積する閲覧履歴管理手段と、キーワード入力を行う入力手段と、
前記閲覧履歴管理手段に蓄積されたテキスト情報のインデックス化、及び前記キーワードを受信して前記閲覧履歴管理手段に当該キーワード検索を行いテキスト検索結果を取得するテキスト検索手段と、前記テキスト検索結果を前記ディスプレイに表示する検索結果表示手段と、を有することを特徴とする。
【００１９】
また、請求項３に記載の発明は、前記閲覧画面再利用装置は、前記テキスト検索手段が取得したテキスト検索結果中の各閲覧画面の重要度を判断して、当該重要度に基づいて前記テキスト検索結果を配列する閲覧画面ランク判定手段を有しており、前記テキスト検索手段は、前記テキスト検索結果を前記閲覧画面ランク判定手段に送信し、前記検索結果表示手段は、前記重要度に基づいて配列された前記テキスト検索結果を前記ディスプレイに表示することを特徴とする。
【００２０】
また、請求項４に記載の発明は、前記検索結果表示手段は、前記選択されたテキスト情報部分を強調して前記ディスプレイに表示することを特徴とする。
【００２１】
また、請求項５に記載の発明は、前記検索結果表示手段は、前記入力手段から前記テキスト検索結果に対する選択入力を受信し、当該選択入力に対応する閲覧画面を前記ディスプレイに表示することを特徴とする。
【００２２】
また、請求項６に記載の発明は、前記閲覧画面再利用装置は、前記選択されたテキスト情報、及び前記閲覧画面に関する情報を閲覧履歴管理手段に蓄積したことを利用者に通知する閲覧履歴保存通知手段を有することを特徴とする。
【００２３】
また、請求項７に記載の発明は、前記閲覧画面に関する情報は、当該閲覧画面、当該閲覧画面のＵＲＬ、当該閲覧画面のサムネール情報、及び当該閲覧画面を閲覧した総時間であることを特徴とする。
【００２４】
また、請求項８に記載の発明は、前記検索結果表示手段は、前記サムネール情報をさらに前記ディスプレイに表示することを特徴とする。
また、請求項９に記載の発明は、上記の請求項１〜８のいずれかに記載の閲覧画面再利用装置を、コンピュータプログラムで記載してそれを実行可能にしたことを特徴とする。
【００２５】
また、請求項１０に記載の発明は、  上記の請求項１〜８のいずれかに記載の閲覧画面再利用装置を、コンピュータで実行可能に記載したプログラムを記録したことを特徴とする。
【００２６】
請求項１に記載の発明では、選択手段の入力により選択されたテキスト情報が閲覧履歴管理手段に蓄積されるので、閲覧画面保管時の煩雑さの解消、及び閲覧画面から視点を外さずに現在閲覧中の閲覧画面の保管が可能となる。また、テキスト情報がインデックス化されているので、閲覧画面保管時の利用者の操作により、当該閲覧画面の再利用時にあらかじめ一覧表示中に当該閲覧画面を表示させるためのキーワードを指定することが可能となる。
【００２７】
また、請求項２に記載の発明では、選択手段の入力により選択されたテキスト情報が閲覧履歴管理手段に蓄積されるので、閲覧画面保管時の煩雑さの解消、及び閲覧画面から視点を外さずに現在閲覧中の閲覧画面の保管が可能となる。また、テキスト情報がインデックス化されているので、閲覧画面保管時の利用者の操作により、当該閲覧画面の再利用時にあらかじめ一覧表示中に当該閲覧画面を表示させるためのキーワードを指定することが可能となる。また、入力手段にキーワードを入力することにより再利用時に必要な閲覧画面を抽出して一覧として表示させることが可能となる。
【００２８】
また、請求項３に記載の発明では、閲覧画面ランク判定手段の機能により、閲覧画面の再利用時の一覧表示時に利用者の閲覧画面に対する重要度に応じて一覧表示させることが可能となる。
【００２９】
さらに、請求項４に記載の発明では、検索結果表示手段に機能により、再利用時の閲覧画面の表示時に特定部分を強調表示を行うことが可能となる。
【００３０】
さらに、請求項５に記載の発明では、テキスト検索結果一覧から選択した閲覧画面を表示する。
【００３１】
さらに、請求項６に記載の発明では、閲覧履歴保存通知手段の機能により、利用者に選択により蓄積が発生したこと及び蓄積した情報を通知することが可能である。なお、この通知は、ディスプレイ表示、音声通知、印刷による通知等が可能である。
【００３２】
さらに、請求項７に記載の発明では、前記閲覧画面に関する情報は、当該閲覧画面、当該閲覧画面のＵＲＬ、当該閲覧画面のサムネール情報、及び当該閲覧画面を閲覧した総時間を用いる。
【００３３】
さらに、請求項８に記載の発明では、前記検索結果表示手段の機能によりサムネール情報をディスプレイに表示するので、閲覧画面保存時の記憶を視覚的に覚醒し想起させることが可能となる。
【００３４】
請求項９に記載の発明では、上記機能を有するプログラムを提供でき、これは請求項１０のように記録媒体により提供することが可能となる。
【発明を実施するための最良の形態】
【００３５】
以下、本発明の実施形態を図面を用いて説明する。
【００３６】
(構成要素の説明)
図１に閲覧画面再利用装置の構成を示す。図１に示すように、Ｗｅｂブラウザ１１、選択装置１２、閲覧画面１３、閲覧履歴管理装置１４、閲覧履歴保存通知装置１５、閲覧画面ランク判定装置１６、テキスト検索装置１７、検索結果表示装置１８、及び閲覧履歴保存装置通知装置１５に保存された内容１９が構成要素となる。
【００３７】
選択装置１２はマウス、視点追跡装置などを用いることが可能で、閲覧画面中のテキスト情報を選択する。
【００３８】
閲覧履歴管理装置１４は閲覧画面中で選択されたテキスト情報、閲覧画面のＵＲＬ、テキスト選択時の閲覧画面のサムネール情報、選択されたテキスト情報の閲覧画面中における位置情報、及び閲覧画面を閲覧した時間などを保存し一元管理を行う。
【００３９】
ここで図２に閲覧履歴管理装置１４のデータ構造例を示す。図２に示す例では、データ番号、ＵＲＬ、閲覧時間、タイトル、選択テキスト、サムネール画像位置、及びキャッシュ位置を少なくとも保存している。
【００４０】
閲覧履歴保存通知装置１５は閲覧履歴管理装置１４に保存された内容を利用者に表示し通知する。
【００４１】
閲覧画面ランク判定装置１６はテキスト検索装置１７により抽出された閲覧画面１３を、閲覧画面１３を閲覧した時間などに基づき、閲覧画面１３の利用者にとっての重要度を解析し判定する。
【００４２】
テキスト検索装置１７はキーワード入力により閲覧履歴管理装置１４から閲覧画面１３の抽出を行う。
【００４３】
検索結果表示装置１８は再利用時に必要な閲覧画面１３をキーワード入力により抽出し、ＵＲＬ、テキスト文字列、サムネール、及び閲覧画面タイトルなどを一覧として閲覧画面１３の重要度やテキスト検索装置１７のキーワードマッチ度などに基づいてランキング表示させる。
【００４４】
（閲覧画面保管時）
ここで閲覧画面保管時の処理について説明する。
【００４５】
閲覧画面１３を閲覧中に、利用者が重要だと思う閲覧画面１３中の一部分を選択装置１２により選択する。
【００４６】
閲覧画面１３中の一部分が選択装置１２により選択されたときに、当該閲覧画面のＵＲＬ、閲覧画面のサムネール情報、閲覧画面中で選択されたテキスト情報、及び閲覧画面を閲覧した総時間を閲覧履歴管理装置１４に保存する。
【００４７】
これらの情報を閲覧履歴管理装置１４に保存したと同時に、この保存された情報の内容を閲覧履歴保存通知装置１５に表示して、保存された内容を利用者に通知する。
【００４８】
閲覧履歴管理装置１４に保存されたテキスト情報をテキスト検索装置１７によりインデックス化し再利用時のキーワード入力に備える。
【００４９】
閲覧画面ランク判定装置１６は、閲覧画面１３の閲覧時間を監視する。
【００５０】
（再利用時）
ここで閲覧画面の再利用時の処理について説明する。
【００５１】
再利用時の作業状態に応じてテキスト検索装置１７にキーワードを入力する。すると閲覧履歴管理装置１４に保管されている入力したキーワードを含む情報をテキスト検索装置１７が検索し、これを検索結果表示装置１８に一覧表示させる。
【００５２】
検索結果表示装置１８に一覧表示されている閲覧画面１３のタイトルや閲覧画面のサムネール情報などをユーザが選択装置１２で選択することにより、閲覧画面保管時にテキスト選択された閲覧画面１３を表示させる。
【００５３】
(上記実施形態の効果)
上記の構成によれば、例えば、図３の３１に示すように、閲覧画面１３中の一部分が選択装置１２により選択されたときに、当該閲覧画面のＵＲＬ、閲覧画面のサムネール情報、閲覧画面中で選択されたテキスト情報、及び閲覧画面を閲覧した総時間を閲覧履歴管理装置１４に保存する。したがって視点を閲覧画面１３の外に移さずに閲覧画面保管を行うことができ、閲覧中の部分に集中しながら閲覧画面保管を行うことができる。また視点が外れたときも、閲覧画面保管を行う場合は、選択装置１２でテキスト情報を選択している状態のため、閲覧中部分を再探索するのが容易となる。
【００５４】
また、テキスト検索装置１７にキーワードを入力することにより、閲覧履歴管理装置１４に保管されている情報を抽出し表示させることが可能なので、例えば図９の９７のように、閲覧画面保管時に名称及びフォルダの一覧を整理する必要が無い。
【００５５】
また、テキスト検索装置１７にキーワードを入力することにより、閲覧履歴管理装置１４に保管されている情報を抽出し表示させることが可能なので、閲覧画面保管時の作業状態によらず、再利用時の作業状態に応じて情報を抽出し表示することができる。
【００５６】
また、閲覧画面１３中の特定部分を指定して保管することができるため、閲覧画面１３を表示後に文章を読むなどして必要な特定部分を再探索する必要が無くなり、効率的に目的の部分に到達することができる。
【００５７】
また、例えば図３の３２に示すように、再利用時に検索結果表示装置１８にサムネール情報を同時に表示させることで、閲覧画面保管時の記憶を視覚的に覚醒し想起させることが容易となる。
【００５８】
(実施例)
図４に閲覧画面再利用装置の構成を示す。図４に示すように、Ｗｅｂブラウザ４１、マウス４２、閲覧画面４３、閲覧履歴管理装置４４、閲覧履歴保存通知装置４５、閲覧画面ランク判定装置４６、テキスト検索装置５７、検索結果表示装置５８、インターネット４９、及びキーボード５０が構成要素となる。
【００５９】
(閲覧画面保管時)
ここで閲覧画面保存時の処理について説明する。
【００６０】
まず、インターネット４９の閲覧画面情報をＷｅｂブラウザ４１の閲覧画面４３上に表示させた状態にする。
【００６１】
マウス４２により、閲覧画面４３上のテキスト文字列などを選択すると(Ｓ１)、選択した部分が強調表示され、選択した閲覧画面４３、選択装置により選択した位置情報、文字列情報、閲覧画面のＵＲＬ、閲覧画面のサムネール、閲覧画面のタイトル、閲覧画面のキャッシュ、及び閲覧画面の閲覧時間が閲覧履歴管理装置４４に保存される(Ｓ２)。それと同時に、文字列情報、閲覧画面のＵＲＬ、閲覧画面のタイトル、閲覧画面の閲覧時間が閲覧履歴保存通知装置４５に表示される(Ｓ２)。
【００６２】
マウス４２により選択した閲覧履歴管理装置４４に保存されている文字列の情報や閲覧画面のキャッシュをテキスト検索装置４７に送信し(Ｓ３)、テキスト検索装置４７がインデックス処理を行いこの結果を閲覧履歴管理装置４４に送信する(Ｓ４)。
【００６３】
ここで図５に閲覧画面保管時の利用者の操作及びユーザインタフェースの動作例を示す。図５に示すように、まずユーザインタフェースに閲覧画面が表示される(Ｓ５１)。
【００６４】
この閲覧画面を利用者が閲覧し(Ｓ５２)、保管部分を発見する(Ｓ５３)。
【００６５】
さらに利用者は閲覧画面上保管部分のテキスト文字列を選択する(Ｓ５４)。
【００６６】
この選択された部分をユーザインタフェースは強調表示する(Ｓ５５)。
【００６７】
さらに選択されたテキストを保存した旨をユーザインタフェースは表示する(Ｓ５６)。この後、この閲覧画面内に他にも選択する部分があるかを探すためＳ５２に進んでもよいし、Ｓ５７に進んでもよい。
【００６８】
利用者は他の閲覧画面へ遷移し(Ｓ５７)、Ｓ５１からの操作を繰り返す。
【００６９】
（閲覧画面再利用時）
ここで閲覧画面再利用時の処理について説明する。
【００７０】
検索結果表示装置４８はキーボード５０からキーワードを受信して、これをテキスト検索装置４７に送信する(Ｓ５)。
【００７１】
テキスト検索装置４７はキーワードを検索結果表示装置４８に送信して(Ｓ６)、インデックス処理された閲覧履歴管理装置４４の情報からキーワードにヒットする閲覧画面の情報を検索しその情報を受信し、これを閲覧画面ランク判定装置４６に送信する(Ｓ７)。
【００７２】
閲覧画面ランク判定装置４６は、キーワードにヒットした閲覧画面の情報中の閲覧時間情報、及びその他の閲覧画面の情報を利用して閲覧画面ランクを計算する。この閲覧画面ランク判定装置４６の閲覧画面ランク計算動作を図５を用いて説明する。
【００７３】
図６に示すように、まず、テキスト検索結果から閲覧画面ごとのページランク(Ｒｉ)を抽出する(Ｓ６１)。
【００７４】
次に、テキスト検索結果から閲覧画面ごとの総閲覧時間(Ｔｉ)を抽出する(Ｓ６２)。
【００７５】
次に、総閲覧時間の最大値(Ｔｍａｘ)を求める(Ｓ６３)。
【００７６】
次に、ページランク(ヒットページ総数)の最大値(Ｒｍａｘ)を求める(Ｓ６４)。
【００７７】
次に、閲覧画面適合値(Ｆｉ)を次式を用いて算出する(Ｓ６５)。
【００７８】
【数１】
2006309509.tif 000003
【００７９】
次に、閲覧画面適合値をキーとして閲覧画面をソートし、ソート結果を閲覧画面ランクとする(Ｓ６６)。
【００８０】
検索結果表示装置４８は、閲覧画面ランク判定装置４６より、閲覧画面ランク付き検索結果一覧を受け取り、当該閲覧画面のＵＲＬ、選択テキスト文字列、サムネール、及び閲覧画面タイトルを閲覧画面ランクを検索結果一覧として表示する(Ｓ８)。
【００８１】
なお、選択テキスト文字列を強調して表示することが可能である。
【００８２】
検索結果表示装置４８において一覧表示された部分をマウス４２で選択することにより(Ｓ９)、選択した閲覧画面のテキスト選択した部分をＷｅｂブラウザ４１の閲覧画面４３に表示させる(Ｓ１０)。
【００８３】
ここで図７に閲覧画面再利用時の利用者の操作及びユーザインタフェースの動作例を示す。図７に示すように、まず、利用者が検索結果表示装置を起動する(Ｓ７１)。
【００８４】
利用者はキーボードを用いてキーワードを入力する(Ｓ７２)。
【００８５】
ユーザインタフェースは検索結果一覧を表示する(Ｓ７３)。
【００８６】
利用者は検索結果一覧を閲覧して(Ｓ７４)、検索結果一覧から閲覧したい画面を選択する(Ｓ７５)。
【００８７】
ユーザインタフェースは閲覧画面を表示する(Ｓ７６)。
【００８８】
利用者はこの閲覧画面を閲覧する(Ｓ７７)。
【００８９】
(上記実施例の効果)
閲覧画面保管操作時においては、視点を閲覧画面外に移さずに閲覧画面保管を行うことができ、閲覧中の部分に集中しながら閲覧画面保管を行うことができる。視点が外れたときは、閲覧画面保管を行う場合は、マウスでテキスト情報を選択している状態のため、閲覧中の部分を再探索するのが容易となる。
【００９０】
また、閲覧画面保管時に名称及びフォルダの一覧を整理する必要が無く、マウスによりテキストを選択するのみで閲覧画面の保管が可能である。
【００９１】
閲覧画面再利用操作時においては、キーワード入力を行うことにより保管されている情報を抽出して表示させることにより、閲覧画面保管時の作業状態の分類ではなく、入力したキーワードに基づいた再利用時の作業状態に応じて情報を抽出し表示することができる。
【００９２】
また、閲覧画面中の特定部分を指定して表示することができるため、閲覧画面を表示後に文章を読むなどして再探索する必要が無くなり、効率的に目的の部分に到達することができる。
【００９３】
また、再利用時に検索結果表示装置にサムネール情報を同時に表示させることにより、閲覧画面保管時の記憶を視覚的に覚醒し想起させることが容易となる。
【００９４】
(ビジネスモデル適用例)
上記検索結果表示装置のビジネスモデル適用例を図８に示す。図８に示すように、本ビジネスモデルはキーボード８１、検索結果表示装置８２、テキスト検索装置８３、ポータルサイト検索エンジン８４、及び結果一覧８５の構成要素を少なくとも有している。
【００９５】
このビジネスモデルにおいて、利用者はキーボードを用いて検索結果表示装置８２にキーワードを入力する。上記実施形態及び実施例と同様に検索結果表示装置８２は入力されたキーワードをテキスト検索装置８３に送信し、テキスト検索装置８３から閲覧画面の抽出結果を取得する。
【００９６】
また、検索結果表示装置８２は取得した情報を用いたキーワード、及び／又は入力されたキーワードの検索を行うというクエリをポータルサイト検索エンジン８４に送信する。ポータルサイト検索エンジン８４は受信したキーワードを検索して検索結果を検索結果表示装置８２に送信する。
【００９７】
検索結果表示装置８２はテキスト検索装置８３から受信した閲覧画面の抽出結果、及びポータルサイト検索エンジン８４から受信した検索結果を結果一覧８５に表示する。このとき、ローカルの結果とウェブの結果とが区別できるように表示する。
【００９８】
(変形例等)
なお、Ｗｅｂブラウザ、閲覧履歴保存通知、検索結果表示は閲覧画面再利用装置を構成するコンピュータ装置が有するディスプレイに表示することが可能である。
【００９９】
また、閲覧履歴保存通知は表示のみに限定されず、音声通知、プリントアウトによる通知等を用いることが可能である。
【０１００】
また、テキスト検索結果装置が取得した情報を閲覧画面ランク判定装置に送信せず、そのまま検索結果表示装置に送信しこれをディスプレイに表示することが可能である。
【０１０１】
(プログラム等)
なお、上記実施形態において、閲覧画面再利用装置は、閲覧画面再利用装置を構成するコンピュータ装置が有するＣＰＵによって実現され、テキスト検索処理、閲覧画面ランク判定処理、閲覧履歴保存通知処理、及び検索結果表示処理などをアプリケーションプログラムとして搭載することができる。
【０１０２】
また、テキスト検索処理、閲覧画面ランク判定処理などで行った処理結果、計算結果、当該処理に必要な情報等のデータを内部メモリや外部記憶装置等に書き込み・読み出しができるようにしてもよい。
【０１０３】
また、閲覧画面再利用装置の機能を実現するソフトウェアのプログラムコードを記録した記録媒体を、システム、又は装置に供給し、そのシステム、又は装置のＣＰＵ（ＭＰＵ）が記憶媒体に格納されたプログラムコードを読み出し実行することも可能である。この場合、記憶媒体から読み出されたプログラムコード自体が上記実施形態の機能を実現することになり、このプログラムコードを記憶した記憶媒体としては、例えば、ＣＤ−ＲＯＭ、ＤＶＤ−ＲＯＭ、ＣＤ−Ｒ、ＣＤ−ＲＷ、ＭＯ、及びＨＤＤ等がある。
【図面の簡単な説明】
【０１０４】
【図１】閲覧画面再利用装置の構成図。
【図２】閲覧履歴管理装置のデータ構造例。
【図３】選択装置でテキスト情報を選択している状態及びサムネール情報の例を示す図。
【図４】閲覧画面再利用装置の構成図。
【図５】閲覧画面保管時の操作フロー図。
【図６】閲覧画面ランク判定装置の処理フロー図。
【図７】閲覧画面再利用時の操作フロー図。
【図８】閲覧画面再利用装置のビジネスモデル適用例。
【図９】従来技術の閲覧画面再利用を示す図。
【符号の説明】
【０１０５】
１１…Ｗｅｂブラウザ
１２…選択装置
１３…閲覧画面
１４…閲覧履歴管理装置
１５…閲覧履歴保存通知装置
１６…閲覧画面ランク判定装置
１７…テキスト検索装置
１８…検索結果表示装置
１９…閲覧履歴保存通知装置に保存された内容
３１…選択装置でテキスト情報を選択している状態の例示
３２…サムネール情報
４１…Ｗｅｂブラウザ
４２…マウス
４３…閲覧画面
４４…閲覧履歴管理装置
４５…閲覧履歴保存通知装置
４６…閲覧画面ランク判定装置
４７…テキスト検索装置
４８…検索結果表示装置
４９…インターネット
５０…キーボード
８１…キーボード
８２…検索結果表示装置
８３…テキスト検索装置
８４…ポータルサイト検索エンジン
８５…結果一覧
９１…Ｗｅｂブラウザ
９２…ブックマーク
９３…閲覧画面
９５…ホームページ名称
９６…フォルダ
９７…名称及びフォルダの一覧
９８…ブックマーク追加メニュー
【図２】
2006309509.tif 000004
【図４】
2006309509.tif 000005
【図５】
2006309509.tif 000006
【図６】
2006309509.tif 000007
【図７】
2006309509.tif 000008
【図８】
2006309509.tif 000009
【図１】
2006309509.tif 000010
【図３】
2006309509.tif 000011
【図９】
2006309509.tif 000012